(57)【要約】      （修正有）【課題】曲率を変更するための別途の曲率変更装置を取付けることなく、部品点数及び重量を大幅に削減することができ、且つ製造装置や工程などに特段の制限なく平板型パネル及びバックカバーなどを共用で使用し、需要者が要求する多様な曲率を実現することができるディスプレイ装置を提供すること。【解決手段】ディスプレイパネル２０１及びディスプレイパネル２０１の背面に配置されるバックカバー２１０が湾曲された曲率を有するようにベンディングされているトップケース２２０、２３０と結合されるため、別途の曲率変更装置の装着が不要となり、需要者が要求する多様な曲率を実現可能なディスプレイ装置を提供することができる。【選択図】図２
2019045854.tif 000002
【特許請求の範囲】
【請求項１】
ディスプレイパネルと、
前記ディスプレイパネルの背面に配されるバックカバーと、
前記ディスプレイパネルの上下側端部及び前記バックカバーの上下側端部と結合される一対の第１トップケースと、
前記ディスプレイパネルの左右側端部及び前記バックカバーの左右側端部と結合される一対の第２トップケースと、
前記第１トップケース及び前記第２トップケースのいずれの一方が湾曲された曲率を有するようにベンディングされるトップケースと、
を備える、ディスプレイ装置。
【請求項２】
前記バックカバーの前面は磁石部材を備え、前記ディスプレイパネルの背面に備えられた磁性材質の封止部材と結合される、請求項１に記載のディスプレイ装置。
【請求項３】
前記バックカバーの前面と前記磁石部材の後面との間に、前記磁石部材が押されて離脱することを防止するための接着部材を含む、請求項２に記載のディスプレイ装置。
【請求項４】
前記第１トップケースは、
前記ディスプレイパネルの端部を覆う外側支持部と、
前記外側支持部から突出され、前記ディスプレイパネルの前面を支持する第１支持部と、
を備える、請求項１に記載のディスプレイ装置。
【請求項５】
前記第１トップケースは、前記外側支持部から突出され、前記バックカバーの後面を支持する第２支持部を備える、請求項４に記載のフレキシブルディスプレイ装置。
【請求項６】
前記第１支持部と第２支持部との間のパネル設置溝に前記ディスプレイパネルとバックカバーの端部が設置される、請求項５に記載のディスプレイ装置。
【請求項７】
前記第１トップケースは、前記外側支持部で第２支持部の後方に突出される第３支持部を備える、請求項６に記載のディスプレイ装置。
【請求項８】
前記第３支持部は、前記第３支持部の端部で折り曲げられるようにして前記第１トップケースの円周方向に２個以上が離隔して配置される結合支持部を備え、前記バックカバー及び前記結合支持部が結合部材で結合される、請求項７に記載のディスプレイ装置。
【請求項９】
前記バックカバーは、前記結合支持部に対応する箇所に後方に凸形段差付きの後方段差部を備える、請求項８に記載のディスプレイ装置。
【請求項１０】
前記第２支持部は、前記後方段差部に対応する箇所に前記後方段差部の両側折曲部が挿入されて支持されるスリット孔を備える、請求項９に記載のディスプレイ装置。
【請求項１１】
前記第２トップケースは、
前記第１トップケースの段部を覆う側面支持部と、
前記側面支持部の前断面で折り曲げられるようにして前記ディスプレイパネルを支持する前面支持部と、
を備える、請求項７に記載のディスプレイ装置。
【請求項１２】
前記バックカバーは、左右側端部から後方に突き出た凸形段差付きの後方段差部を備え、
前記第２トップケースの各々は、前記側面支持部の後端部で折り曲げられるようにして前記バックカバーの後方段差部の後面を支持する後面支持部を備え、
前記後面支持部と前記バックカバーが締結部材を用いて結合される、請求項１１に記載のディスプレイ装置。
【発明の詳細な説明】
【技術分野】
【０００１】
本発明は、ディスプレイ装置に関するもので、より詳細には別途の曲率変更装置を取付けることなく部品点数及び重量を大幅に削減することができ、且つ製造装置や工程などに特段の制限なく平板型パネルとバックカバーなどを共用で使用し、需要者が求める多様な曲率を実現することができるディスプレイ装置に関する。
【背景技術】
【０００２】
一般的な平板形状のディスプレイ装置として、液晶ディスプレイ装置（Ｌｉｑｕｉｄ  Ｃｒｙｓｔａｌ  Ｄｉｓｐｌａｙ  Ｄｅｖｉｃｅ）、プラズマディスプレイ装置（Ｐｌａｓｍａ    Ｄｉｓｐｌａｙ  Ｄｅｖｉｃｅ）、電界放出ディスプレイ装置（Ｆｉｅｌｄ  Ｅｍｉｓｓｉｏｎ  Ｄｉｓｐｌａｙ  Ｄｅｖｉｃｅ）、発光ディスプレイ装置（Ｌｉｇｈｔ  Ｅｍｉｔｔｉｎｇ  Ｄｉｓｐｌａｙ  Ｄｅｖｉｃｅ）などの研究が活発に行われているが、量産化技術、駆動手段の容易性、高画質の具現という長所から、液晶ディスプレイ装置と発光ディスプレイ装置が脚光を浴びている。
【０００３】
近年では、平板ディスプレイ装置の技術的欠点に関する研究開発に併せ、需要者によりアピールできる曲面状ディスプレイ製品のデザイン的な面における研究開発の必要性が特に強調されている。
【０００４】
そのため、ディスプレイ装置として、曲率を有する曲面ディスプレイ装置又はカーブドディスプレイ装置に関するニーズが次第に増えつつある。
【０００５】
そして、これまでの曲面ディスプレイ装置は、パネルとバックカバーに一定な曲率を形成し、バックカバーの後方面にバックカバーと同一の曲率を有する固定装置を取付ける方式、またはパネルとバックカバーの曲率を変形させる別途の可変型の曲率変更装置を取付ける方式によって開発されてきた。
【０００６】
しかし、パネルとバックカバーに一定な曲率を形成し、バックカバーの後方面にバックカバーと同一の曲率を有する固定装置を取付ける構造の場合、パネルとバックカバーなどの全ての部品を一定な曲率で形成するための治具とプレス工程が必要となり、更に製品完成後にも一定な曲率でしか保持されないため、需要者の多様な曲率変更の要求に対応できない問題点があった。
【０００７】
さらに、パネルとバックカバーの曲率を変形させる別途の可変型の曲率変更装置を取付ける構造は、図１に示す従来のディスプレイ装置のように、ディスプレイパネル１１０と、ディスプレイパネル１１０を収容する外装ケース１２０、外装ケース１２０の下端部や背面部に連結されて机や壁に固定されるように備えた受け台１３０から構成される。
【０００８】
上記ディスプレイ装置は、ディスプレイパネル１１０の背面に実装される曲率変更装置１４０によって平面型モード及び曲面型モードで作動するようになる。
【０００９】
即ち、複数個のモーター１６０と夫々連結された複数個の関節フレート１５０がモーターの駆動によって所定の角度を有するように折れ曲がることによって、ディスパネル１１０の曲率を変更するようになっている。
【００１０】
しかし、上記曲面ディスプレイ装置又はカーブドディスプレイ装置は、曲率変更装置である各々の関節プレートをディスプレイパネルの背面に取付けなければならない構造であるため、部品点数、製造工程及び製造原価の増加を招く問題があった。
【００１１】
また、モーターの作動によって曲率が変更される構造であるため、作動騒音が大きく、また消費電力が増加し、しかもモーターが故障した場合、外装ケースを分離して修理しなければならない構造である、という問題点があった。
【００１２】
従って、需要者が所望する多様な曲率を反映しつつも、製造装置や工程などに制限されることなく様々な曲率を実現することができるディスプレイ装置に関する研究が必要とされる。
【発明の概要】
【発明が解決しようとする課題】
【００１３】
以上の背景から、本発明の第１の目的は、ディスプレイ装置において別途の曲率変更装置を実装することなく部品点数及び重量を大幅に削減することができ、且つ製造装置や工程などに特段の制限なしに需要者が所望する多様な曲率が実現できるディスプレイ装置を提供することである。
【００１４】
本発明の第２の目的は、ディスプレイ装置において平板型パネルとバックカバーなどを共用で使用して可能な限りの部品を共用化し、従来よりも低コストで作製できるディスプレイ装置を提供することである。
【００１５】
さらに、本発明の目的はこれに限定されず、言及されていないその他の目的は下記の記載から当業者にとって想到し得ることは自明である。
【課題を解決するための手段】
【００１６】
前述した目的を達成するために、本発明の実施形態は、ディスプレイパネルとディスプレイパネルの背面に配置されるバックカバーが、湾曲された曲率を有するようにベンディングされているトップケースと結合することで、別途の曲率変更装置の装着が不要となり、需要者が要求する多様な曲率を実現することができるディスプレイ装置を提供する。
【発明の効果】
【００１７】
本発明の実施形態によると、別途の曲率変更装置を取付けることなく部品点数及び重量を大幅に削減することができ、且つ製造装置や工程などに特段の制限なしに需要者が求める多様な曲率が実現できるディスプレイ装置を提供することができる。
【００１８】
さらに、本発明の実施形態によると、多様な曲率のケーストップさえ作製すれば、平板型パネルとバックカバーなどを共用で使用しながら様々な曲率を有するディスプレイ装置が提供できるようになり、可能な限りの部品を共用化することにより従来よりも低コストで製品を製造することができる。
【図面の簡単な説明】
【００１９】
【図１】従来のディスプレイ装置を概略的に示す分解斜視図である。
【図２】本発明の一実施形態に係るディスプレイ装置を示す分解斜視図である。
【図３】本発明の一実施形態に係るディスプレイ装置の一部を示す斜視図である。
【図４】本発明の一実施形態に係るディスプレイ装置を示す背面図である。
【図５】本発明の一実施形態に係るディスプレイ装置の一部を示す斜視図である。
【図６】図４のＤ１―Ｄ１部分の端面を示す断面図である。
【図７】図４のＤ２―Ｄ２部分の端面を示す断面図である。
【図８】図４のＤ３―Ｄ３部分の端面を示す断面図である。
【図９】本発明の一実施形態に係るディスプレイ装置の一部を示す斜視図である。
【図１０】本発明の一実施形態に係るディスプレイ装置の一部を示す斜視図である。
【図１１】図１０のＤ４―Ｄ４部分の断面を示す断面図である。
【図１２】図１０のＤ５―Ｄ５部分の断面を示す断面図である。
【発明を実施するための形態】
【００２０】
以下、本発明の一実施形態を例示的な図を参照して詳しく説明する。各図の構成要素に参照符号を付すに当たって、同一の構成要素については他の図面上に表示されても、できれば同一符号を有する。また、本発明を説明するにあたって、かかる公知構成又は機能に対する具体的な説明が本発明の要旨を逸脱する恐れがあると判断される場合にはその詳細な説明は省略する。
【００２１】
また、本発明の構成要素を説明するにあたって、第１、第２、Ａ、Ｂ、ａ、ｂなどの用語を用いることができる。このような用語はその構成要素を他の構成要素と区別するためのものであって、その用語によって当該構成要素の本質、手順、順序又は個数などは限定されない。ある構成要素が異なる構成要素に「連結」、「結合」又は「接続」されると記載した場合、その構成要素はその他の構成要素に直接連結、或いは接続することができ、各構成要素の間に他の構成要素が「介在」されるか、或いは各構成要素が異なる構成要素を介して「連結」、「結合」又は「接続」することもできると理解されるべきである。
【００２２】
図２は本発明の一実施形態に係るディスプレイ装置を示す分解斜視図であり、図３は本発明の一実施形態に係るディスプレイ装置の一部を示す斜視図である。図４は本発明の一実施形態に係るディスプレイ装置を示す背面図であり、図５は本発明の一実施形態に係るディスプレイ装置の一部を示す斜視図である。図６は図４のＤ１―Ｄ１部分の断面を示す断面図であり、図７は図４のＤ２―Ｄ２部分の断面を示す断面図であり、図８は図４のＤ３―Ｄ３部分の断面を示す断面図である。図９及び図１０は本発明の一実施形態に係るディスプレイ装置の一部を示す斜視図である。図１１は図１０のＤ４―Ｄ４部分の断面を示す断面図であり、図１２は図１０のＤ５―Ｄ５部分の断面を示す断面図である。
【００２３】
当該図に示したように、本発明の一実施形態に係るディスプレイ装置は、ディスプレイパネル２０１、ディスプレイパネル２０１の背面に配されるバックカバー２１０、ディスプレイパネル２０１の上下側端部及びバックカバー２０１の上下側端部と結合される一対２２０ａ、２２０ｂの第１トップケース２２０と、ディスプレイパネル２０１の左右側端部及びバックカバー２１０の左右側端部と結合される一対２２０ａ、２２０ｂの第２トップケース２３０を備えており、第１トップケース２２０と第２トップケース２３０のいずれの一方が湾曲された曲率を有するようにベンディングされているトップケース２２０、２３０を含む。
【００２４】
ここで、本発明の一実施形態では、ディスプレイパネル２０１とバックバー２１０とが平面状又は曲面状で形成されてトップケース２２０、２３０に嵌合されることで、トップケース２２０、２３０の曲率と同じ曲面型ディスプレイ装置が実現できるようになり、図２ではディスプレイパネル２０１及びバックカバー２１０が平面状の場合を一例として図示した。
【００２５】
即ち、本発明の一実施形態に係るディスプレイ装置は、平板状又は曲面状のいずれのディスプレイパネル２０１の端部に嵌合されるトップケース２２０、２３０の曲率を有する曲面状ディスプレイ装置を実現することができる。
【００２６】
そして、曲面状ディスプレイ装置を実現するために、本発明の一実施形態の図では前面が凹んだ一般的なカップ（Ｃｕｐ）形の曲面型ディスプレイ装置を一例として図示したが、逆にトップケースの曲率を反対に形成して前面がくぼんだカップ形の曲面型ディスプレイ装置を実現しても良いし、上下に長い、或いは左右に長いディスプレイ装置を実現しても良い。
【００２７】
即ち、ディスプレイパネル２０１、バックカバー２１０が湾曲された第１トップケース２２０の曲率によって曲面をもちながら曲面型ディスプレイ装置を実現するように結合される。
【００２８】
上記本発明の一実施形態に係るディスプレイパネル２０１は、液晶ディスプレイパネル及び発光ディスプレイパネルのいずれにも適用できる。
【００２９】
即ち、ディスプレイパネル２０１が液晶ディスプレイパネルで構成される場合、液晶ディスプレイパネルに光を照射するためのバックライトユニット、下部基板に貼り付けられた下部偏光板、及び上部基板の前面に貼り付けられた上部偏光板をさらに含んで構成されても良く、下部基板及び上部基板の具体的な構成は液晶パネルの駆動モード、例えばＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ  ｐｌａｎｅ  ｓｗｉｔｃｈｉｎｇ）モード、及びＦＦＳ（Ｆｒｉｎｇｅ  ｆｉｅｌｄ  ｓｗｉｔｃｈｉｎｇ）モードなどに従って当業界に公知された様々な形態で備えても良い。
【００３０】
また、ディスプレイパネル２０１が発光ディスプレイパネルで構成される場合、発光ディスプレイパネルはゲートライン、データライン、及び電源（ＶＤＤ）ラインによって定義される領域ごと設けられた複数の発光セルを含む下部基板及び下部基板に対向して合着された上部基板を含んで構成されても良い。
【００３１】
さらに、下部基板に設けられた複数の発光セルの各々は、ゲートラインとデータラインに接続された少なくとも一つのスイッチングトランジスタ、スイッチングトランジスタと電源（ＶＤＤ）ラインに接続された少なくとも一つの駆動トランジスタ及び駆動トランジスタのスイッチングに応じて制御される電流によって発光する発光素子（例えば、ＯＬＥＤ）を含んで構成されても良く、上部基板は水分又は大気中の酸素から発光素子を保護するための吸湿剤などを含んで構成される。
【００３２】
この際、上部基板には駆動トランジスタに接続される発光素子を更に含んでも良く、この場合、下部基板の発光素子は省いても良い。
【００３３】
本発明の一実施形態において発光ディスプレイパネル２０１を一例として示したが、自己発光する構造上のパネルで光を発散するバックライトユニットは図示せず、以下で発光ディスプレイパネル２０１に基づいて説明する。
【００３４】
発光ディスプレイパネルの画素アレイに用いた有機化合物は水分や酸素に曝されると劣化する恐れがあり、このような画素劣化の問題を防ぐために封止部材（ｅｎｃａｐｓｕｌａｔｉｏｎ  ｍｅｍｂｅｒ、２０１ｂ）がディスプレイパネル２０１の後面に接合されて画素アレイを密封しても良い。
【００３５】
ここで、封止部材２０１ｂは磁性材質の金属基板であっても良いし、封止部材２０１ｂとバックカバー２１０との間には金属材質のバックカバー２１０と結合するための磁石部材２１５を備えており、バックカバー２１０の前面と磁石部材２１５後面との間には磁石部材２１５が押されて離脱することを防止する接着部材２１６を取り付けても良い。
【００３６】
ここで、接着部材２１６は両面テープ、接着性の熱伝導テープなどを用いることができる。
【００３７】
さらに、画素アレイからの光が側面を通して放出される光漏れ現象を防ぐために、ディスプレイパネル２０１の側面には片側シール部材（ｓｉｄｅ  ｓｅａｌ  ｍｅｍｂｅｒ）を設けても良く、ディスプレイパネル２０１の前面には偏光フィルム２０１ａを貼り付けても良い。
【００３８】
ここで、片側シール部材は黒色顔料が加えられた高分子物質で作製されても良く、片側シール部材が画素アレイから放出される光を吸収することによって、ディスプレイパネル２０１の側面を通して放出される光が見えなくなる。
【００３９】
さらに、長方形で形成されるディスプレイパネル２０１の少なくともいずれの一方の端部の背面には、ＩＣが実装された複数個の可撓性回路フィルムがディスプレイパネル２０１及び印刷回路基板と電気的に接続される。
【００４０】
さらに、複数個の可撓性回路フィルムはＴＡＢ（Ｔａｐｅ  Ａｕｔｏｍａｔｅｄ  Ｂｏｎｄｉｎｇ）工程によってディスプレイパネル２０１及び印刷回路基板にレジンなどで貼り付けられるものであり、ＴＣＰ（Ｔａｐｅ  Ｃａｒｒｉｅｒ  Ｐａｃｋａｇｅ）又はＣＯＦ（Ｃｈｉｐ  Ｏｎ  Ｆｌｅｘｉｂｌｅ  Ｂｏａｒｄ、又はＣｈｉｐ  Ｏｎ  Ｆｉｌｍ）で構成されても良い。
【００４１】
これにより、ディスプレイパネル２０１は複数個の可撓性回路フィルムを介して印刷回路基板に電気的に接続又は連結され、印刷回路基板は複数の可撓性回路フィルムに電気的に接続されて、ディスプレイパネル２０１に画像を表示するための各種信号を提供する。
【００４２】
印刷回路基板は、複数の回路フィルムに電気的に接続されてディスプレイパネル２０１に画像を表示するための各種信号を提供し、該印刷回路基板にはディスプレイパネル２０１の駆動のための駆動ＩＣなどが実装される。
【００４３】
上記ディスプレイパネル２０１の上下側端部及び左右側端部はトップケース２２０、２３０によってバックカバー２１０と結合される。
【００４４】
ここで、バックカバー２１０はアルミニウム、アルミニウム合金、ステンレススチール、電気亜鉛メッキ鋼板などのような金属材、ガラス材、又はプラスチック材などで形成しても良いが、本発明の一実施形態ではトップケース２２０、２３０に結合時、所定の曲率でベンディングさえできれば、前述した材質以外の材質でも用いることができる。
【００４５】
トップケース２２０、２３０は、ディスプレイパネル２０１の上下側端部及びバックカバー２１０の上下側端部と結合される一対の第１トップケース２２０と、ディスプレイパネル２０１の左右側端部及びバックカバー２１０の左右側端部と結合される一対の第２トップケース２３０が備えられる。
【００４６】
さらに、第１トップケース２２０及び第２トップケース２３０のいずれの一方は湾曲された曲率を有するようにベンディングされているため、第１トップケース２２０が湾曲された曲率でベンディングされる場合、曲率の中心軸が上下方向に位する曲面型ディスプレイ装置を備えるようになる。また第２トップケース２３０が湾曲された曲率でベンディングされる場合、曲率の中心軸が左右方向に位する曲面型ディスプレイ装置を備えるようになる。本発明の実施形態では、図に示すように第１トップケース２２０が湾曲された曲率でベンディングされる場合を一例として図示している。
【００４７】
なお、本発明の一実施形態においては、第１トップケース２２０が上下に配置されるものとして図示したが、第１トップケース２２０が左右に配され、第２トップケース２３０が上下に配置されても良く、これはディスプレイ装置の上下、左右レイアウトに応じて組立られる方向を任意に設定することも可能である。
【００４８】
第１トップケース２２０には、ディスプレイパネル２０１の端部を覆う外側支持部２２５と、外側支持部２２５から突出されてディスプレイパネル２０１の前面を支持する第１支持部２２１を備えて、第１支持部２２１とディスプレイパネル２０１との間には、間隔を補償するダンパー２４２を備えても良い。
【００４９】
従って、第１トップケース２２０の曲率に合わせてディスプレイパネル２０１が組立されると、外側支持部２２５と第１支持部２２１によってディスプレイパネル２０１の端部と前面が支持され、一定曲率が維持できるようになる。
【００５０】
なお、第１トップケース２２０には、外側支持部２２５から突出されてバックカバー２１０の後面を支持する第２支持部２２２が第１支持部２２１の後方側に離隔して配置されるように備えられる。このように第１支持部２２１と第２支持部２２２とを備えることによって、ディスプレイパネル２０１及びバックカバーの前面と後面が第１支持部２２１と第２支持部２２２によって安定的に支持されるようになる。またディスプレイパネル２０１とバックカバー２１０とが平板の状態に戻ろうとする弾性復元力を支えることによって、ディスプレイパネル２０１及びバックカバー２１０の曲率が一定に保持できるようになる。
【００５１】
上記第１支持部２２１及び第２支持部２２２は、第１トップケース２２０の円周方向に長く延長して形成されており、第１支持部２２１と第２支持部２２２との間のパネル設置溝２２５ａにディスプレイパネル２０１とバックカバー２１０の端部が設置されるようになっている。そして第１支持部２２１と第２支持部の間の間隔、即ちパネル設置溝２２５ａの幅は組立の容易性のためにディスプレイパネル２０１と磁石部材２１５、接着部材２１６、バックカバー２１０の全体厚さより所定の量大きくして備えることもできる。
【００５２】
従って、ディスプレイパネル２０１及びバックカバー２１０が第１支持部２２１と第２支持部２２２の間のパネル設置溝２２５ａに設置されると、ディスプレイパネル２０１及びバックカバー２１０の端部を保護しつつ、ディスプレイパネル２０１及びバックカバー２１０が平板の状態に戻ろうとする弾性復元力を保持するようになり、ディスプレイパネル２０１及びバックカバー２１０の曲率を一定に保持できるようになる。
【００５３】
また、第１トップケース２２０には第２支持部２２２の後方に離隔された箇所まで外側支持部２２５から突出される第３支持部２２３を備えることができ、このように第３支持部２２３を備えることによって、第１トップケース２２０の曲げ強度が増大され、ディスプレイパネル２０１とバックカバー２１０を支持しながら、一定の曲率を維持する曲率保持力が増加する。
【００５４】
第３支持部２２３は第３支持部２２３の端部から突出しながら第１トップケース２２０の円周方向に２つ以上が離隔して配置される結合支持部２２７を備えることができ、バックカバー２１０と結合支持部２２７が結合部材２４０で結合されることによって、バックカバー２１０と固定できるようになると同時にバックカバー２１０との固定箇所の強度を補うことができる。
【００５５】
なお、バックカバー２１０は、第１トップケース２２０の結合支持部２２７に対応する箇所に、後方に凸形段差付きの後方段差部２１１を備えても良いが、バックカバー２１０から突出しで形成される後方段差部２１１にて結合部材２４０で結合支持部２２７と嵌合されることによって、バックカバー２１０との固定箇所の強度が増大され、バックカバー２１０の曲面が局部的に凹んだり膨らんだりする不具合なく曲率が一定に保持できるようになる。
【００５６】
また、第２支持部２２２は、後方段差部２１１と対応する位置に後方段差部２１１の両側に設けられる折曲部２１２が挿入されて支持されるスリット孔２２９を備えても良い。
【００５７】
当該スリット２２９孔は、第２支持部２２２の終端側に開口されるように形成され、第１トップケース２２０をバックカバー２１０に結合するときに、スリット孔２２９に後方段差部２１１の両側折曲部２１２が嵌め込まれるように嵌合される。このため組立時に、嵌合箇所に正確な位置決めを可能にし、更に嵌合された後には後方段差部２１１が第２支持部２２２と結合支持部２２７との間に支持され、左右方向に押されて離脱することを防止することができる。
【００５８】
一方、第２トップケース２３０は、第１トップケース２２０の端部を覆う側面支持部２３１と、側面支持部２３１の前端部で折り曲げられるようにしてディスプレイパネル２０１を支持する前面支持部２３３とを備え、前面支持部２３３とディスプレイパネル２０１との間には間隔を補償するダンパ２４２を備えることができる。
【００５９】
このため、第１トップケース２２０の側面が外部に露出されることを防止しつつ、第１トップケース２２０と強く結合できるようになり、ディスプレイパネル２０１の端部を外部の衝撃から保護できるようになる。
【００６０】
また、バックカバー２１０には左右側端部にて後方に凸形段差付きの後方段差部２１１が設けられており、第２トップケース２３０には側面支持部２３１の後端部で折り曲げられるようにしてバックカバー２１０の後方段差部２１１の後面を支持する後面支持部２３５を設け、第２トップケース２３０の後面支持部２３５及びバックカバー２１０が結合部材２４０で結合されることによって、第１トップケース２２０の側面が外部に露出されることを防止し、且つ第１トップケース２２０とバックカバー２１０との堅固な結合を可能とする。
【００６１】
一方、本発明の一実施形態に係る図では一例として、発光ディスプレイパネルの場合だけを図示したが、前述したように本発明の一実施形態は、液晶ディスプレイパネルの場合にも適用でき、この場合、液晶ディスプレイパネルに光を提供するバックライトモジュールが光源モジュール、光源モジュールから放射された光を加工して液晶パネルに適切な光を提供する導光板、光調節部材及び光反射体などから構成される。ここで光源モジュールは電気エネルギーを光エネルギーに切り替える部品であり、発光ダイオード（Ｌｉｇｈｔ  Ｅｍｉｔｔｉｎｇ  Ｄｉｏｄｅ；ＬＥＤ）アセンブリ、冷陰極蛍光管（Ｃｏｌｄ  Ｃａｔｈｏｄｅ  Ｆｌｕｏｒｅｓｃｅｎｔ  Ｌａｍｐ；ＣＣＦＬ）、または熱陰極蛍光管（Ｈｏｔ  Ｃａｔｈｏｄｅ  Ｆｌｕｏｒｅｓｃｅｎｔ  Ｌａｍｐ；ＨＣＦＬ）などを用いることができることは、本発明の一実施形態が属する技術分野において周知の技術であるので、以下、詳細な説明は省略する。
【００６２】
以上で説明したように本発明の一実施形態によると、別途の曲率変更装置を取付けることなく、部品点数及び重量を大幅に削減することができ、製造装置や工程などに特段の制限なく需要者が要求する様々な曲率が実現できるディスパネル装置を提供することができる。
【００６３】
さらに、本発明の実施形態によると、多様な曲率のケーストップさえ作製すれば平板型パネルとバックカバーなどを共用で使用しながら様々な曲率のディスプレイ装置を提供することができるようになり、可能な限り部品を共用化し、より低コストにて製品を製造することができるようになる。
【００６４】
以上で、本発明の実施形態を構成する全ての構成要素が一つで結合されるか、或いは結合されて作動するものとして説明したものの、本発明が上記実施形態に限定されるものではない。即ち、本発明の目的の範囲内であれば、その全ての構成要素が一つ以上で選択的に結合して作動することもできる。
【００６５】
かかる本発明に記載した「含む」、「設ける」、或は「有する」などの用語は、特に反対の記載がない限り、当該構成要素が内在できることを意味するものであるため、他の構成要素を除くものではなく、他の構成要素を更に含むことができるものと解釈すべきである。技術的や科学的な用語を含む全ての用語は、異なる定義でない限り、当業者によって一般的に理解されるものと同じ意味を有する。事前に定義された用語のように一般的に用いられる用語は関連技術の文脈上の意味と一致するものと解釈すべきであり、本発明において明らかに定義しない限り、理想的や形式的すぎる意味に解釈してはいけない。
【符号の説明】
【００６６】
２０１  ディスプレイパネル
２１０  バックカバー
２１１  後方段差部
２１５  磁石部材
２２０  第１トップケース
２２１  第１支持部
２２２  第２支持部
２２３  第３支持部
２２７  結合支持部
２２９  スリット孔
２３０  第２トップケース
２３１  側面支持部
２３３  前面支持部
２３５  後面支持部
【図１】
2019045854.tif 000003
【図２】
2019045854.tif 000004
【図３】
2019045854.tif 000005
【図４】
2019045854.tif 000006
【図５】
2019045854.tif 000007
【図６】
2019045854.tif 000008
【図７】
2019045854.tif 000009
【図８】
2019045854.tif 000010
【図９】
2019045854.tif 000011
【図１０】
2019045854.tif 000012
【図１１】
2019045854.tif 000013
【図１２】
2019045854.tif 000014